(57)【要約】【課題】  設定操作やアラームの解除操作を、権限を与えられたオペレータ（作業者）にのみ許可することで、マシン（成形機）が正しく運用管理されるようにすること。【解決手段】  入力装置と表示装置とを備え、入力装置と表示装置とを用いて各種の操作が可能な成形機において、パスワードを書き替え可能に記憶するパスワード格納手段と、入力されたパスワードと前記パスワード格納手段に記憶されたパスワードとを比較して個人認証を行うパスワード認証手段と、このパスワード認証手段で正しく個人認証されたオペレータに対しては成形機の設定操作を許可し、正しく個人認証されなかったオペレータに対しては成形機の設定操作を禁止すると共に、正しく個人認証されたオペレータに対しては成形機に生じたアラームを解除することを許可し、正しく個人認証されなかったオペレータに対してはアラームを解除することを禁止する入力操作制限手段とを、備える。【選択図】      図１
2007055016.tif 000002
【特許請求の範囲】
【請求項１】
入力装置と表示装置とを備え、この入力装置と表示装置とを用いて各種の操作が可能な成形機において、
パスワードを書き替え可能に記憶するパスワード格納手段と、
入力されたパスワードと前記パスワード格納手段に記憶されたパスワードとを比較して個人認証を行うパスワード認証手段と、
このパスワード認証手段で正しく個人認証されたオペレータに対しては成形機の設定操作を許可し、正しく個人認証されなかったオペレータに対しては成形機の設定操作を禁止すると共に、正しく個人認証されたオペレータに対しては成形機に生じたアラームを解除することを許可し、正しく個人認証されなかったオペレータに対してはアラームを解除することを禁止する入力操作制限手段とを、
備えたことを特徴とする成形機。
【請求項２】
請求項１に記載の成形機において、
成形機の設定操作が行われた場合に、その設定操作を行ったオペレータのパスワードと設定操作の内容とを対応付けて記憶すると共に、アラームの解除操作が行われた場合に、その解除操作を行ったオペレータのパスワードと解除操作されたアラームの内容とを対応付けて記憶する来歴格納手段を備えたことを特徴とする成形機。
【請求項３】
請求項１または２に記載の成形機において、
前記入力操作制限手段を、操作制限解除状態から操作制限状態に移行させるための操作画像を設けたことを特徴とする成形機。
【請求項４】
請求項１または２に記載の成形機において、
正しく個人認証されたパスワードの入力後に所定時間が経過すると、前記入力操作制限手段は、操作制限解除状態から操作制限状態に移行することを特徴とする成形機。
【発明の詳細な説明】
【技術分野】
【０００１】
本発明は、射出成形機やダイカストマシンなどの成形機に係り、特に、権限を与えられたオペレータ（作業者）にのみ、成形機（マシン）の設定操作などを許可するようにした技術に関する。
【背景技術】
【０００２】
射出成形機などの成形機においては、マシン（成形機）に備えられた入力装置と表示装置を用いて、各種の操作が可能となっている。そして、この操作は制限を設けることなく、誰にでも行えるようになっていた。
【発明の開示】
【発明が解決しようとする課題】
【０００３】
上記したように、従来のマシンは、誰にでも各種の操作が可能となっていたため、不慣れなあるいは未熟なオペレータが、マシンの運転条件などの設定（本願でいう設定とは、初期設定および条件の設定変更を含む）操作や、アラームの解除操作を不用意に行うと、マシンの運転条件が不適切なものとなったり、トラブル発生に繋がるという問題があった。また、悪意の第三者が、マシンの運転条件などの設定操作などを行うことに対しての防御対策にも、配慮が払われていなかった。さらに、マシンの運転条件の設定操作が行われた場合に、誰がどのような内容で行ったのかを、後で特定することができず、同様に、アラームの解除操作が行われた場合に、誰がどのようなアラームの解除を行ったのかが、後で特定することができず、トラブル発生時の責任の追及を難しくしていた。
【０００４】
本発明は上記の点に鑑みなされたもので、その目的とするところは、設定操作やアラームの解除操作を、権限を与えられたオペレータ（作業者）にのみ許可することで、マシン（成形機）が正しく運用管理されるようにすることにある。
【課題を解決するための手段】
【０００５】
本発明は上記した目的を達成するため、入力装置と表示装置とを備え、この入力装置と表示装置とを用いて各種の操作が可能な成形機において、
パスワードを書き替え可能に記憶するパスワード格納手段と、
入力されたパスワードと前記パスワード格納手段に記憶されたパスワードとを比較して個人認証を行うパスワード認証手段と、
このパスワード認証手段で正しく個人認証されたオペレータに対しては成形機の設定操作を許可し、正しく個人認証されなかったオペレータに対しては成形機の設定操作を禁止すると共に、正しく個人認証されたオペレータに対しては成形機に生じたアラームを解除することを許可し、正しく個人認証されなかったオペレータに対してはアラームを解除することを禁止する入力操作制限手段とを、
備えた構成をとる。  
また、成形機の設定操作が行われた場合に、その設定操作を行ったオペレータのパスワードと設定操作の内容とを対応付けて記憶すると共に、アラームの解除操作が行われた場合に、その解除操作を行ったオペレータのパスワードと解除操作されたアラームの内容とを対応付けて記憶する来歴格納手段を備える。  
また、入力操作制限手段を、操作制限解除状態から操作制限状態に移行させるための操作画像を設ける。  
また、正しく個人認証されたパスワードの入力後に所定時間が経過すると、入力操作制限手段は、操作制限解除状態から操作制限状態に移行するように構成する。
【発明の効果】
【０００６】
本発明によれば、入力されたパスワードと予め記憶されたパスワードとを比較して個人認証を行い、正しく個人認証されたオペレータに対しては成形機の設定操作を許可し、正しく個人認証されなかったオペレータに対しては成形機の設定操作を禁止すると共に、正しく個人認証されたオペレータに対しては成形機に生じたアラームを解除することを許可し、正しく個人認証されなかったオペレータに対してはアラームを解除することを禁止するので、設定操作やアラームの解除操作を、権限を与えられたオペレータ（作業者）のみが行うことで、マシン（成形機）を正しく運用管理することができる。しかも、権限を与えられていない（パスワードを持たない）オペレータであっても、各種の監視用画面などを呼び出して、マシンの運転状況などを確認することができ、正常運転時のマシンの管理は、権限を与えられていないオペレータであっても、支障なく行うことができる。  
また、設定操作が行われた場合やアラームの解除操作が行われた場合には、その操作を行ったオペレータのパスワードと、設定操作の内容あるいは解除操作されたアラームの内容とを対応付けて記憶するので、誰がどのような内容の操作を行ったのかを、後で容易に特定することができる。  
また、入力操作制限手段を、操作制限解除状態から操作制限状態に移行させるための操作画像を設けることで、正しく個人認証されたオペレータが成形機を離れる際に、この操作画面で操作制限状態への移行を設定できるので、権限を与えられていないオペレータが設定操作やアラームの解除操作を行うことを、確実に防止できる。  
また、正しく個人認証されたパスワードの入力後に所定時間が経過すると、入力操作制限手段は、操作制限解除状態から操作制限状態に移行するので、所定時間が経過すると、権限を与えられていないオペレータが設定操作やアラームの解除操作を行うことを、確実に防止できる。
【発明を実施するための最良の形態】
【０００７】
以下、本発明の実施の形態を、図面を用いて説明する。  
図１〜図５は、本発明の一実施形態（以下、本実施形態と記す）による射出成形機（以下、マシンと記す）に係り、図１は、本実施形態のマシンの制御系の概略を示すブロック図である。
【０００８】
図１において、１は、マシン全体の制御を司るシステムコントローラ、２は、システムコントローラ１に接続されたキーボード装置等からなる入力装置、３は、システムコントローラ１に接続された液晶表示装置等からなる表示装置で、表示装置３はタッチパネルよりなる入力部３ａを備えており、本実施形態のマシンの入力装置は、入力装置２と入力部３ａとによって構成されている。
【０００９】
システムコントローラ１は、実際には、ＣＰＵ、ＲＯＭ、ＲＡＭ、ＨＤＤ、各種インターフェースなどを具備したパソコンで構成され、予め用意された各種のプログラムをワークエリアに展開することなどで各種の処理を実行し、後記する運転制御機能、演算処理機能、判定機能、記憶／読み出し処理機能、表示処理機能などは、各種のプログラムによって具現化される。
【００１０】
システムコントローラ１中において、１０１は、システムコントローラ１中の各構成要素を統括管理する主制御部、１０２は、複数のパスワードを書き替え可能に記憶するパスワード格納部、１０３は、パスワード格納部１０２に記憶されたパスワードとオペレータ（あるいは後記する管理者）が入力したパスワードとを比較し、パスワード格納部１０２に記憶されているパスワードを与えられた（権限を与えられた）オペレータであるか（あるいは後記する管理者であるか）を判定して、個人認証を行うパスワード認証部、１０４は、入力装置２や入力部３ａからの入力操作を受け付けて、入力を解釈する入力受付部、１０５は、オペレータによる入力操作に制限をかけたり、制限を解除したりする入力操作制限部、１０６は、適宜の画像処理を行い、表示装置３への出力画像を生成する表示処理部、１０７は、表示する画像中に必要なテキスト、図形、罫線等のデータを格納した表示用固定データ格納部、１０８は、射出成形の各行程の運転条件を書き換え可能に記憶した運転条件設定格納部、１０９は、各種の運転制御プログラムと運転条件設定格納部１０８に記憶されたデータに基づき、マシン各部の図示せぬセンサ群からの検出情報や計時情報を参照して、図示せぬドライバ群を介してマシン各部の図示せぬアクチュエータを駆動制御して、一連の成形運転を実行させる運転プロセス制御部、１１０は、成形運転中の各種運転条件の測定値が、所定ショット数にわたって取り込まれる測定値格納部、１１１は、射出成形機および製品取出機などの周辺機の状態を監視し、表示装置３によるアラームメッセージの表示の要否や、アラームメッセージの表示を行う場合のメッセージ種別の選択を行う状態判定部、１１２は、測定値格納部１１０に格納されたデータを、良／不良判定テーブルの内容に基づき良／不良判定したり、測定値格納部１１０に格納された多数ショットのデータを統計演算処理し、その処理結果を保持するモニタ（監視）演算処理部、１１３は、定期点検来歴やアラーム来歴や設定操作来歴などの各種来歴データを格納する各種来歴格納部、１１４は、多数のアラームメッセージのデータを格納したメッセージ格納部である。
【００１１】
本実施形態のマシンは、運転条件設定格納部１０８に記憶される各種データの設定（初期設定や設定変更）の操作、および、アラームの解除操作を行えるオペレータを限定するために、設定操作およびアラーム解除操作を行うことを許可された（すなわち、権限を与えられた）オペレートに対して、個々のオペレータにそれぞれ固有のパスワードを与えるようになっている。図２は、適宜の操作で表示装置３上に呼び出された、パスワード入力画像の例を示している。
【００１２】
図２に示すように、パスワード入力画像には、１つのパスワード入力欄２１が設けられており、このパスワード入力欄２１に権限を与えられたオペレータが、自身を個人認証するためパスワードを正しく入力しない限り、システムコントローラ１のパスワード認証部１０３は権限を与えられたオペレータと見なさず、システムコントローラ１の入力操作制限部１０５は、オペレータに対して設定操作およびアラーム解除操作を許可しない。図２は、パスワード入力欄２１にパスワードが未入力ないし正しく入力されていない状態を示しており、このときには、パスワード入力画像は、「設定不可」、「アラーム解除不可」の状態であることを表示している。
【００１３】
図２の状態において、パスワード入力欄２１に、権限を与えられたオペレータが自身を個人認証するためパスワードを正しく入力すると、パスワード認証部１０３は権限を与えられたオペレータと見なし、入力操作制限部１０５は、オペレータに対して設定操作およびアラーム解除操作を許可し、パスワード入力画像の表示は、図３のように変化する。図３では、「設定可」、「アラーム解除可」の状態であることを表示している。なお、パスワード入力欄２１中の表示は、例えば＊印のように、どのような記号や数値を入力したのかを特定できないように桁数の表示にのみとどめ、所定時間後には空白となるようにされている。
【００１４】
また、図３のように、入力操作制限部１０５が操作制限解除状態にある際に、正しく個人認証されたオペレータがマシンを離れるときは、パスワード入力欄２１に、例えば「０」を１つ入力することで、入力操作制限部１０５を、操作制限解除状態から操作制限状態に移行させることができるようになっており、これによって、権限を与えられたオペレータがマシンを離れても、権限を与えられていないオペレータが設定操作やアラームの解除操作を行うことを、確実に防止できるようになっている。なお、入力操作制限部１０５を、操作制限解除状態から操作制限状態に移行させることの指示は、パスワード入力画像に限らず、他の適宜の複数の画像に、その旨を指示するアイコンボタンを設けることでも実現できる。
【００１５】
また、図２、図３のパスワード入力画像のパスワード入力欄２１には、管理者用のパスワードも入力可能となっており、パスワード入力画像のパスワード入力欄２１に、管理権を与えられた管理者が自身を個人認証するためパスワードを正しく入力すると、パスワード認証部１０３は管理権を持つ正しい管理者と見なして、これにより、表示装置３上の画像は、パスワード入力画像から図４に示すようなパスワード設定画像に遷移する。
【００１６】
図４に示すように、パスワード設定画像には、１つの管理者用のパスワード設定欄４１と、複数のオペレータ用の（ここでは、オペレータ「１」〜「６」用の）パスワード設定欄４２とが設けられたおり、オペレータ用のパスワードの設定は、ユーザ側（マシンを使用する側）の上位責任者である管理者のみが行えるようになっている。管理者用のパスワードは、マシンの販売側がパスワード格納部１０２に予め記憶させており、上記の管理者のみに知らされるようになっている。図２、図３のパスワード入力画像のパスワード入力欄２１に、管理者が正しく管理者用のパスワードを入力することで、パスワード設定画像を用いてオペレータ用のパスワード設定欄４２にパスワードを入力可能となり、パスワード設定欄４２に、権限を与えるオペレータに１対１に対応付けてそれぞれパスワードを入力することで、権限を与える各オペレータ用に対してパスワードを設定する。そして、設定されたオペレータ用のパスワードは、パスワード格納部１０２に記憶される。また、このようなパスワード設定画像を用いることで、パスワードを変更することも可能で、これによって、オペレータ「１」用のパスワードを、Ａという人からＢという人に対応するように変更することや、オペレータ「１」用のパスワードを忘れてしまったＡという人に対して、パスワードを例えば別のものに変更して再度与えることも可能である。ここで、図４のパスワード設定画像において、設定済みのオペレータ用のパスワード、あるいは、設定済みの管理者用のパスワードを、視認可能に表示するようにしてもよく、このようにすれば、管理者はパスワード設定画像を呼び出すことで、設定済みのパスワードを確認することができる。しかし、セキュリティー上の観点からは、設定済みのパスワードを表示しない仕組みとすることが望ましく、本実施形態のマシンでは設定済みのパスワードを表示しないようにしている。
【００１７】
なお、管理者用のパスワードの設定は、本実施形態では、ユーザ側では行えない仕組みとしている。そこで、万一、管理者が管理者用のパスワードを忘れてしまった場合には、マシンの販売側のサービスマンがマシンの設置場所まで出向いて、図２、図３のパスワード入力画像のパスワード入力欄２１に、サービスマンのみが知る隠しパスワードを入力することで、パスワード設定画像を呼び出し、この隠しパスワードを入力したときのみ、パスワード設定画像の管理者用のパスワード設定欄４１に、入力設定を行うことが可能な仕組みとしている。そして、このようにサービスマンが再設定ないし変更した管理者用のパスワードは、パスワード格納部１０２に更新記録される。
【００１８】
次に、本実施形態のマシンにおけるオペレータ用のパスワードの入力に関連する処理動作を、図５のフローチャートを用いて説明する。入力操作制限部１０５が操作制限状態（設定操作およびアラーム解除操作を許可しない状態）にあるときには（ステップＳ１）、権限を与えられたオペレータが、パスワード入力画像を用いてパスワード入力欄２１に、自身を個人認証するためパスワードを正しく入力したかを監視しており（ステップＳ２）、パスワード認証部１０３が、パスワード格納部１０２に記憶されたオペレータ用のパスワードとオペレータが入力したオペレータ用のパスワードとが一致したと判定すると（ステップＳ２でＹＥＳ判定されると）、入力操作制限部１０５は操作制限解除状態（設定操作およびアラーム解除操作を許可する状態）となる（ステップＳ３）。入力操作制限部１０５が操作制限解除状態にあるときには、入力操作制限部１０５を操作制限解除状態から操作制限状態に移行させることの指示が、オペレータによってなされたかどうかを監視しており（ステップＳ４）、この指示がなされた場合（ステップＳ４でＹＥＳ判定された場合）にはステップＳ１に戻り、指示がなされていない場合（ステップＳ４でＮＯ判定された場合）にはステップＳ５に進む。
【００１９】
ステップＳ５では、オペレータによって運転条件の設定操作がなされたかどうかが判定され、設定操作が行われた場合（ステップＳ５でＹＥＳ判定された場合）にはステップＳ６に進み、設定操作が行われなかった場合（ステップＳ５でＮＯ判定された場合）にはステップＳ７に進む。ステップＳ６では、オペレータによって行われた設定操作の内容およびその日時・時刻と、ステップＳ２で判別されたオペレータ用のパスワードとを対応付けて、各種来歴格納部１１３に記憶して、ステップＳ７に進む。ステップＳ７では、マシンや周辺機の状態を監視している状態判定部１１１がアラーム事象の発生を検出したかどうかを判定し、アラーム事象の発生である場合（ステップＳ７でＹＥＳ判定された場合）にはステップＳ８に進み、そうでない場合（ステップＳ７でＮＯ判定された場合）にはステップＳ３に戻る。ステップＳ８では、状態判定部１１１が検出したアラームの内容に応じたアラームメッセージのデータが、メッセージ格納部１１４から表示処理部１０６に転送され、これにより、表示処理部１０６は、アラームメッセージ用のウィンドウ画像を生成し、これを表示装置３の表示画面上に自動的に割り込み表示させて、ステップＳ９に進む。ステップＳ９では、オペレータによってアラームの解除操作がなされたかどうかが判定され、アラームの解除操作が行われた場合（ステップＳ９でＹＥＳ判定された場合）にはステップＳ１０に進み、アラーム解除操作が行われなかった場合（ステップＳ９でＮＯ判定された場合）にはステップＳ３に戻る。ステップＳ１０では、オペレータによって解除操作されたアラームの内容およびその日時・時刻と、ステップＳ２で判別されたオペレータ用のパスワードとを対応付けて、各種来歴格納部１１３に記憶して、ステップＳ３に戻る。
【００２０】
なお、図５の処理フローにおいては、ステップＳ４において、入力操作制限部１０５を操作制限解除状態から操作制限状態に移行させることの指示が、オペレータによってなされたかどうかを判定するようにしているが、このステップＳ４の処理を、正しく個人認証されたパスワードの入力後に所定時間が経過したかどうかを判定し、所定時間が経過するとステップＳ１に戻り、所定時間内ならステップＳ５に進むような処理に、代替することも可能である。
【００２１】
以上のように本実施形態では、入力されたパスワード（オペレータ用のパスワード）と予め記憶されたパスワード（オペレータ用のパスワード）とを比較して個人認証を行い、正しく個人認証されたオペレータに対しては成形機の設定操作を許可し、正しく個人認証されなかったオペレータに対しては成形機の設定操作を禁止すると共に、正しく個人認証されたオペレータに対しては成形機に生じたアラームを解除することを許可し、正しく個人認証されなかったオペレータに対してはアラームを解除することを禁止するので、設定操作やアラームの解除操作を、権限を与えられたオペレータ（作業者）のみが行うことで、マシン（成形機）を正しく運用管理することができる。しかも、権限を与えられていない（パスワードを持たない）オペレータであっても、各種の監視用画面などを呼び出して、マシンの運転状況などを確認することができ、正常運転時のマシンの管理は、権限を与えられていないオペレータであっても、支障なく行うことができる。また、設定操作が行われた場合やアラームの解除操作が行われた場合には、その操作を行ったオペレータのパスワードと、設定操作の内容あるいは解除操作されたアラームの内容とを対応付けて記憶するので、誰がどのような内容の操作を行ったのかを、後で容易に特定することができる。また、入力操作制限手段を、操作制限解除状態から操作制限状態に移行させるための操作画像を設けることで、正しく個人認証されたオペレータが成形機を離れる際に、この操作画面で操作制限状態への移行を設定できるので、権限を与えられていないオペレータが設定操作やアラームの解除操作を行うことを、確実に防止できる。また、正しく個人認証されたパスワードの入力後に所定時間が経過すると、入力操作制限手段が、操作制限解除状態から操作制限状態に自動的に移行するようにすることもできるので、この場合には、所定時間が経過すると、権限を与えられていないオペレータが設定操作やアラームの解除操作を行うことを、確実に防止できる。
【図面の簡単な説明】
【００２２】
【図１】本発明の一実施形態に係る射出成形機（マシン）の制御系の概略を示すブロック図である。
【図２】本発明の一実施形態に係る射出成形機において、表示装置上に表示されたパスワード入力画像の例を示す説明図である。
【図３】本発明の一実施形態に係る射出成形機において、表示装置上に表示されたパスワード入力画像の例を示す説明図である。
【図４】本発明の一実施形態に係る射出成形機において、表示装置上に表示されたパスワード設定画像の例を示す説明図である。
【図５】本発明の一実施形態に係る射出成形機における、オペレータ用のパスワードの入力に関連する処理動作の流れを示すフローチャートである。
【符号の説明】
【００２３】
１  システムコントローラ
２  入力装置
３  表示装置
３ａ  表示装置の入力部
１０１  主制御部
１０２  パスワード格納部
１０３  パスワード認証部
１０４  入力受付部
１０５  入力操作制限部
１０６  表示処理部
１０７  表示用固定データ格納部
１０８  運転条件設定格納部
１０９  運転プロセス制御部
１１０  測定値格納部
１１１  状態判定部
１１２  モニタ（監視）演算処理部
１１３  各種来歴格納部
１１４  メッセージ格納部
２１  パスワード入力欄
４１  管理者用のパスワード設定欄
４２  オペレータ用のパスワード設定欄
【図１】
2007055016.tif 000003
【図２】
2007055016.tif 000004
【図３】
2007055016.tif 000005
【図４】
2007055016.tif 000006
【図５】
2007055016.tif 000007